(57)【要約】      （修正有）【課題】変形が可能であることで各人の個性を自由に表現できるとともに、外観が自然で、美観を損なわず、手触りは柔らかく、重量は軽いという快適さを備えた帽子を提供する。【解決手段】帽子１は、辺縁部２と、中心部３を備えている。中心部３の上部は有底であり、辺縁部２と中心部３を組み合わせた形は略筒状である。辺縁部２と中心部３を組み合わせた形が略筒状であることで、帽子１は様々な形に変形することができ、なおかつ、変形した帽子１は、さらに外力を加えなければ、長時間に渡り変形した形を保つことができる。帽子１の辺縁部２は芯地４を有しており、辺縁部２の外周はワイヤ５を有している。芯地４は、メッシュ状であることで、辺縁部２に十分な張りと強度を与えている。【選択図】図２
0003223678.tif 000002
【実用新案登録請求の範囲】
【請求項１】
辺縁部を有する帽子であって、
辺縁部に芯地を有し、
辺縁部の外周にワイヤを有する、変形自在の帽子。
【請求項２】
上部が有底の中心部を有する、請求項１に記載の変形自在の帽子。
【請求項３】
辺縁部と中心部を組み合わせた形が略筒状である、請求項２に記載の変形自在の帽子。
【請求項４】
上記芯地がメッシュ状のものである、請求項１〜３のいずれかに記載の変形自在の帽子。
【請求項５】
上記ワイヤの素材が折り曲げ自在の樹脂である、請求項１〜４のいずれかに記載の変形自在の帽子。
【考案の詳細な説明】
【技術分野】
【０００１】
本考案は、形状を自由に変化させることができる帽子に関する。
【背景技術】
【０００２】
近年、服装に関して自由な表現が好まれる傾向にあるため、従来のように一定の形が決まっている帽子とは異なり、各人の個性を自由に表現できる帽子が求められている。このような帽子として、本体上部と庇に複数本の線材を取り付けることで変形を可能とした帽子が開示されている（例えば、特許文献１）。
【先行技術文献】
【特許文献】
【０００３】
【特許文献１】特開２００３−２４７１１７号公報
【考案の概要】
【考案が解決しようとする課題】
【０００４】
しかしながら、特許文献１に記載されている帽子は、本体上部の内側周辺と、庇の外周部及び庇の外周に平行して輪状に形成した複数本の径の異なるアルミ、ステンレス、樹脂等の線材を取り付けたものであるため、変形が可能ではあるが、外観は不自然なものであった。また、帽子内部に線材が複数取り付けられているため、帽子の手触りは固く、重量は重くなり、快適に着用できるとは言えないものであった。
【０００５】
そこで、本考案では、変形が可能であることで各人の個性を自由に表現できるとともに、外観が自然で、美観を損なわない帽子を提供することを課題とする。また、変形が可能であると同時に、手触りは柔らかく、重量は軽いという快適さを備えた帽子を提供することを課題とする。
【課題を解決するための手段】
【０００６】
本考案は、辺縁部を有する帽子であって、辺縁部に芯地を有し、辺縁部の外周にワイヤを有する、変形自在の帽子に関する。
【０００７】
本考案の上記帽子は、上部が有底の中心部を有することが好ましい。
【０００８】
本考案の上記帽子は、辺縁部と中心部を組み合わせた形が略筒状であることが好ましい。
【０００９】
本考案の上記帽子は、上記芯地がメッシュ状のものであることが好ましい。
【００１０】
本考案の上記帽子は、上記ワイヤの素材が折り曲げ自在の樹脂であることが好ましい。
【考案の効果】
【００１１】
本考案によれば、変形が可能であることで各人の個性を自由に表現できるとともに、外観が自然で、美観を損なわない帽子を提供することができる。また、変形が可能であると同時に、手触りは柔らかく、重量は軽いという快適さを備えた帽子を提供することができる。
【図面の簡単な説明】
【００１２】
【図１】本考案の帽子の実施の形態にかかる帽子の斜視図である。
【図２】本考案の帽子の実施の形態にかかる帽子の図１におけるＡ−Ａ断面図である。
【図３】本考案の帽子の実施の形態にかかる帽子の変形例を示した図である。
【考案を実施するための形態】
【００１３】
以下、添付の図面を参照して本考案の実施の形態を説明するが、本考案はこれらの図面及び実施の形態に限定されるものではない。
【００１４】
図１は、本考案の帽子の実施の形態にかかる帽子の斜視図である。帽子１は、辺縁部２と、中心部３を備えている。中心部３の上部は有底であり、辺縁部２と中心部３を組み合わせた形は略筒状である。辺縁部２と中心部３を組み合わせた形が略筒状であることで、帽子１は様々な形に変形することができ、なおかつ、変形した帽子１は、さらに外力を加えなければ、長時間に渡り変形した形を保つことができる。
【００１５】
辺縁部２は、中心部３の下部の外側に沿って水平円盤状に設けられていてもよく、円盤状でなくともよい。また、辺縁部２の上部と下部の径の大きさを比べたときに、上部の径よりも下部の径の方が大きくてもよく、上部の径と下部の径は等しくてもよく、上部の径よりも下部の径の方が小さくてもよい。上部の径よりも下部の径を大きくすることで、帽子１を頭部に装着することが容易になるとともに、辺縁部２が日差しを遮る効果などが期待できる。
【００１６】
辺縁部２の幅の値は一定でもよく、辺縁部２の前方の幅の値が後方の幅の値よりも大きくてもよく、後方の幅の値が前方の幅の値よりも大きくてもよい。また、辺縁部２の幅の値は中心部３の高さの値よりも大きくても良く、中心部３の高さの値と等しくてもよく、中心部３の高さの値より小さくてもよい。辺縁部２の幅の値を中心部３の高さの値よりも大きくすることで、帽子１が変形できる形の種類が増加し、個性の表現における自由度を向上させることができる。
【００１７】
中心部３の形状は特定のものではなく、上部は平でも、湾曲状に膨らんでいてもよく、一部が窪んでいてもよい。また、中心部３は略円形でもよく、略四角形でもよい。
【００１８】
図２は、本考案の帽子の実施の形態にかかる帽子の図１におけるＡ−Ａ断面図である。帽子１の辺縁部２は芯地４（例えば、株式会社ＨＹＭＯ製、「ＷＤ７１１８ ボニーメッシュ 」）を有しており、辺縁部２の外周はワイヤ５を有している。芯地４は、メッシュ状であることで、辺縁部２に十分な張りと強度を与えている。ワイヤ５の素材は折り曲げ自在の樹脂であり、その形を長時間に渡り保つことができる。辺縁部２が芯地４とワイヤ５を有することで、帽子１は様々な形に変形することができ、なおかつ、変形した帽子１は、さらに外力を加えなければ、長時間に渡り変形した形を保つことができる。
【００１９】
帽子１が表地２ａと裏地２ｂで構成されている場合、表地２ａと裏地２ｂの間に芯材４とワイヤ５を配置することで、芯地４とワイヤ５が帽子１の外側から見えなくなり、美観を損なわないものとなる。芯地４とワイヤ５は、柔らかく、軽量であるため、帽子１の手触りは柔らかく、重量は軽くなり、快適に着用することができる。
【００２０】
芯地４は、辺縁部２の全体に配置してもよく、辺縁部２の一部に配置してもよい。また、ワイヤ５は、辺縁部２の外周の全体に配置してもよく、辺縁部２の外周の一部に配置してもよい。芯地４を辺縁部２の全体に配置し、ワイヤ５を辺縁部２の外周の全体に配置することで、帽子１が変形できる形の種類が増加するとともに、変形した形をより長時間保つことが可能となる。
【００２１】
補強材６は、中心部３の下端部の内側周辺に設けられている。補強材６は特定のものではなく、従来の帽子に取り付けられているものと同様のものである。
【００２２】
図３は、本考案の帽子の実施の形態にかかる帽子の変形例を示した図である。図３（ａ）のように辺縁部２を小さく折りたたんだ場合は、季節や服装を選ばず、幅広い場面において帽子１を着用することができる。また、図３（ｂ）のように辺縁部２の前方を伸ばした場合は、日差しが強い場面での日除け効果が期待できるとともに、優雅な雰囲気を楽しむことができる。図３（ｃ）のように辺縁部２の全体を上に上げた場合は、帽子１は冠のような存在感を放ち、大胆な装いとなる。さらに、中心部３、および辺縁部２を、図３（ｄ）のように平らに折りたたむ、図３（ｅ）のように筒状に丸める、図３（ｆ）のようにすぼめて折りたたむ、などと変形することで、装着しないときにも運搬や収納を容易にすることができる。
【符号の説明】
【００２３】
１      帽子
２      辺縁部
３      中心部
４      芯地
５      ワイヤ
６      補強材
【図１】
0003223678.tif 000003
【図２】
0003223678.tif 000004
【図３】
0003223678.tif 000005